【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
第１の画像データおよび前記第１の画像データに対応する第１の画像に含まれる被写体に対して補助光を照射した状態で前記被写体を撮像した第２の画像データそれぞれのコントラストの評価値を算出する評価値算出部と、
前記評価値算出部が算出した前記第１の画像データのコントラストの評価値と前記第２の画像データのコントラストの評価値とを比較した結果に基づいて、霧または靄が発生していると判定する判定部と、
を備えたことを特徴とする画像処理装置。
【請求項２】
前記評価値算出部は、前記第１の画像および前記第２の画像データに対応する第２の画像それぞれを複数の領域に分割し、各領域のコントラストの評価値を統計計算することによって前記第１の画像データのコントラストの評価値および前記第２の画像データのコントラストの評価値を算出することを特徴とする請求項１に記載の画像処理装置。
【請求項３】
被写体を撮像して、該被写体の画像データを生成する撮像部と、
前記被写体に対して補助光を照射する補助光発光部と、
前記撮像部が生成した第１の画像データおよび前記補助光発光部が前記被写体に対して補助光を照射した状態で前記撮像部が生成した第２の画像データそれぞれのコントラストの評価値を算出する評価値算出部と、
前記評価値算出部が算出した前記第１の画像データのコントラストの評価値と前記第２の画像データのコントラストの評価値とを比較した結果に基づいて、霧または靄が発生していると判定する判定部と、
前記判定部が前記霧または靄が発生していると判定した場合、前記補助光発光部に補助光の照射を禁止する禁止信号を出力する発光制御部と、
を備えたことを特徴とする撮像装置。
【請求項４】
前記評価値算出部は、前記第１の画像データに対応する第１の画像および前記第２の画像データに対応する第２の画像それぞれを複数の領域に分割し、各領域のコントラストの評価値を加算することによって前記第１の画像データのコントラストの評価値および前記第２の画像データのコントラストの評価値を算出することを特徴とする請求項３に記載の撮像装置。
【請求項５】
前記判定部は、前記第１の画像データのコントラストの評価値が所定の閾値以下であるか否かを判定し、
前記発光制御部は、前記判定部によって前記第１の画像データのコントラストの評価値が前記所定の閾値以下であると判定された場合において、当該撮像装置が前記被写体を撮影する前に、前記補助光発光部に補助光を照射させる照射指示信号を出力することを特徴とする請求項３または４に記載の撮像装置。
【請求項６】
前記撮像部に撮影を指示する撮影指示信号の入力を受け付ける入力部をさらに備え、
前記発光制御部は、前記判定部が前記霧または靄が発生していないと判定した場合において、前記入力部から前記撮影指示信号が入力されたとき、前記補助光発光部に補助光の照射を指示する照射指示信号を出力することを特徴とする請求項３〜５のいずれか一つに記載の撮像装置。
【請求項７】
前記入力部から前記撮影指示信号が入力された場合、前記撮像部に撮影を実行させる撮像制御部をさらに備え、
前記入力部は、外部からの操作により、撮影準備動作を指示する撮影準備信号および前記撮影指示信号のどちらか一方の入力の受け付けができ、
前記発光制御部は、前記入力部から前記撮影準備信号が入力された場合、前記補助光発光部に前記照射指示信号を出力し、
前記撮像制御部は、前記補助光発光部の照射タイミングと前記撮像部の撮影タイミングとを同期させて前記撮像部に前記第２の画像データを生成させることを特徴とする請求項６に記載の撮像装置。
【請求項８】
前記発光制御部が前記禁止信号を前記補助光発光部に出力した後に、前記撮像部が生成した第３の画像データに対応する第３の画像内において輝点を検出する輝点検出部と、
前記輝点検出部が前記第３の画像内において輝点を検出した場合、前記第３の画像データに対して露出値および／または彩度を低下させる処理を行う画像処理部と、
をさらに備えたことを特徴とする請求項７に記載の撮像装置。
【請求項９】
前記入力部から前記撮影指示信号が入力された場合、前記撮像部に撮影を実行させる撮像制御部をさらに備え、
前記発光制御部は、前記入力部が前記撮影指示信号の入力を受け付けた直後に、前記補助光発光部に前記照射指示信号を出力し、
前記撮像制御部は、前記補助光発光部の照射タイミングと前記撮像部の撮影タイミングとを同期させて前記撮像部に撮影させて前記第２の画像データを生成させることを特徴とする請求項６に記載の撮像装置。
【請求項１０】
画像データを記録できる記録媒体と、
前記撮像部が生成した前記第２の画像データを一時的に記憶する仮記憶部と、
をさらに備え、
前記撮像制御部は、前記判定部が前記霧または靄が発生していないと判定した場合、前記仮記憶部が記憶する前記第２の画像データを前記記録媒体に記録することを特徴とする請求項９に記載の撮像装置。
【請求項１１】
画像処理装置が実行する判定方法であって、
第１の画像データおよび前記第１の画像データに対応する第１の画像に含まれる被写体に対して補助光を照射した状態で前記被写体を撮像した第２の画像データそれぞれのコントラストの評価値を算出する評価値算出ステップと、
前記評価値算出ステップで算出した前記第１の画像データのコントラストの評価値と前記第２の画像データのコントラストの評価値とを比較した結果に基づいて、霧または靄が発生していると判定する判定ステップと、
を含むことを特徴とする判定方法。
【請求項１２】
被写体を撮像して、該被写体の画像データを生成する撮像部と、前記被写体に対して補助光を照射する補助光発光部と、を備えた撮像装置が実行する駆動方法であって、
前記撮像部が生成した第１の画像データおよび前記補助光発光部が前記被写体に対して補助光を照射した状態で前記撮像部が生成した第２の画像データそれぞれのコントラストの評価値を算出する評価値算出ステップと、
前記評価値算出ステップで算出した前記第１の画像データのコントラストの評価値と前記第２の画像データのコントラストの評価値とを比較した結果に基づいて、霧または靄が発生していると判定する判定ステップと、
前記判定ステップで前記霧または靄が発生していると判定した場合、前記補助光発光部に補助光の照射を禁止する禁止信号を出力する発光制御ステップと、
を含むことを特徴とする駆動方法。
【請求項１３】
被写体を撮像して、該被写体の画像データを生成する撮像部と、前記被写体に対して補助光を照射する補助光発光部と、を備えた撮像装置が実行する撮像方法であって、
前記撮像部が生成した第１の画像データおよび前記補助光発光部が前記被写体に対して補助光を照射した状態で前記撮像部が生成した第２の画像データそれぞれのコントラストの評価値を算出する評価値算出ステップと、
前記評価値算出ステップで算出した前記第１の画像データのコントラストの評価値と前記第２の画像データのコントラストの評価値とを比較した結果に基づいて、霧または靄が発生していると判定する判定ステップと、
前記判定ステップで前記霧または靄が発生していると判定した場合、前記補助光発光部に補助光の照射を禁止する禁止信号を出力する発光制御ステップと、
を含むことを特徴とする撮像方法。
【請求項１４】
画像処理装置に実行させるプログラムであって、
第１の画像データおよび前記第１の画像データに対応する第１の画像に含まれる被写体に対して補助光を照射した状態で前記被写体を撮像した第２の画像データそれぞれのコントラストの評価値を算出する評価値算出ステップと、
前記評価値算出ステップで算出した前記第１の画像データのコントラストの評価値と前記第２の画像データのコントラストの評価値とを比較した結果に基づいて、霧または靄が発生していると判定する判定ステップと、
を実行させることを特徴とするプログラム。
【請求項１５】
被写体を撮像して、該被写体の画像データを生成する撮像部と、前記被写体に対して補助光を照射する補助光発光部と、を備えた撮像装置に実行させるプログラムであって、
前記撮像部が生成した第１の画像データおよび前記補助光発光部が前記被写体に対して補助光を照射した状態で前記撮像部が生成した第２の画像データそれぞれのコントラストの評価値を算出する評価値算出ステップと、
前記評価値算出ステップで算出した前記第１の画像データのコントラストの評価値と前記第２の画像データのコントラストの評価値とを比較した結果に基づいて、霧または靄が発生していると判定する判定ステップと、
前記判定ステップで前記霧または靄が発生していると判定した場合、前記補助光発光部に補助光の照射を禁止する禁止信号を出力する発光制御ステップと、
を実行させることを特徴とするプログラム。
【請求項１６】
被写体を撮像して、該被写体の画像データを生成する撮像部と、前記被写体に対して補助光を照射する補助光発光部と、を備えた撮像装置に実行させるプログラムであって、
前記撮像部が生成した第１の画像データおよび前記補助光発光部が前記被写体に対して補助光を照射した状態で前記撮像部が生成した第２の画像データそれぞれのコントラストの評価値を算出する評価値算出ステップと、
前記評価値算出ステップで算出した前記第１の画像データのコントラストの評価値と前記第２の画像データのコントラストの評価値とを比較した結果に基づいて、霧または靄が発生していると判定する判定ステップと、
前記判定ステップで前記霧または靄が発生していると判定した場合、前記補助光発光部に補助光の照射を禁止する禁止信号を出力する発光制御ステップと、
を実行させることを特徴とするプログラム。
【手続補正２】
【補正対象書類名】明細書
【補正対象項目名】発明の名称
【補正方法】変更
【補正の内容】
【発明の名称】画像処理装置、撮像装置、判定方法、駆動方法、撮像方法およびプログラム